(57)【特許請求の範囲】
【請求項１】
撮影レンズによって結像された被写体画像を撮影する撮影手段と、前記撮影手段が撮影した撮影画像の画像データを記憶する内部メモリと、前記撮影レンズのディストーションによる前記撮影画像の画像データの歪みを補正する補正手段とを備えた撮影装置において、
前記撮影画像の中心を含み、前記歪みが少なく前記補正を行う必要のない第１領域内の画像データを前記撮影画像の画像データから抜き出して前記補正を行わずに第１画像データを生成する第１モード、前記第１領域を囲むように設定され、前記歪みが前記補正によって除去される第２領域内の画像データ、及び前記第１領域内の画像データを前記撮影画像の画像データから抜き出し、その抜き出した画像データに前記補正を行って第２画像データを生成する第２モード、並びに前記撮影画像の画像データを読み出す第３モードのいずれかに設定するモード設定手段と、
前記モード設定手段によって設定されたモードで前記撮影画像の画像データの画像処理を行う画像処理手段とを備え、
前記撮影レンズは、焦点距離が可変自在なズームレンズであって、
前記モード設定手段は、前記第１モードを設定しているときには前記第１領域の範囲を、前記第２モードを設定しているときには前記第２領域の範囲を前記ズームレンズの焦点距離に応じて調節することを特徴とする撮影装置。
【請求項２】
前記画像処理手段は、前記第１モードが設定されているときには前記画像処理を行った前記第１領域内の画像データにシェーディング補正を行い、前記第２モードが設定されているときには前記画像処理を行った前記第１領域内の画像データ及び第２領域内の画像データにシェーディング補正を行うことを特徴とする請求項１記載の撮影装置。
【発明の詳細な説明】
【技術分野】
【０００１】
本発明は、撮影装置に関し、さらに詳しくは、撮影レンズのディストーションによる撮影画像の歪みを補正する補正機能を備えた撮影装置に関する。
【背景技術】
【０００２】
デジタルカメラに代表されるように、撮影画像をデジタルの画像データに変換してメモリカード等の記録媒体に記録する撮影装置が知られている。近年、デジタルカメラは小型化・薄型化される傾向にあり、その一貫として小型・薄型の撮影レンズが用いられるようになってきている。
【０００３】
しかし、よく知られているように、小型・薄型の撮影レンズを用いた場合には、ＣＣＤ等の固体撮像素子の受光面に結像した被写体画像が歪むディストーション（歪曲収差）が激しくなり、撮影画像に歪みが生じやすくなるという問題がある。この撮影画像に歪みが生じやすくなる問題は、電子ズームを使用して、歪みが生じていない範囲、或いは歪みの少ない範囲の画像データを撮影画像の画像データから抜き出すか、撮影レンズを構成するレンズの枚数や組み合わせを変えることで解消することができる。しかし、これらの方法には次のような問題がある。すなわち、電子ズームを使用した場合には、撮影画像の画像データから抜き出した一部の画像データを使用するので、抜き出す前の撮影画像と比較すると画質が粗くなるという問題がある。また、レンズの枚数及び組み合わせを変える場合には、レンズの枚数を増やすと却って大型化してしまうという問題がある。
【０００４】
そこで、これらの問題を解決するために、電子ズームを使用せずに撮影した撮影画像の画質が粗くなるように予め設定しておき、電子ズームを使用した撮影画像の画質の粗さを目立たなくするデジタルカメラ（特許文献１）や、光学ズームと電子ズームとを併用して撮影画像の歪みを補正し、かつ画質が粗くならないようにした電子ズーム画像入力方式及び映像処理装置（特許文献２及び特許文献３）、歪み補正用の回路と電子ズーム用の回路との一部を共通化することによって小型化・薄型化を図る映像処理装置（特許文献４）が公開されている。
【特許文献１】特開平９−９８３４０号公報
【特許文献２】特開平１０−２３３９５０号公報
【特許文献３】特開平６−２３７４１２号公報
【特許文献４】特開平６−２３７４０４号公報
【発明の開示】
【発明が解決しようとする課題】
【０００５】
しかしながら、特許文献１に記載されているデジタルカメラの場合には、電子ズームを使用せずに撮影した撮影画像の画質が粗くなるように設定しておくことによって、電子ズームを使用して撮影した撮影画像の画質の粗さが目立たないようにしているので、画質を向上させることが困難であるという問題がある。
【０００６】
また、特許文献２に記載されている電子ズーム画像入力方式並びに特許文献３及び４に記載されている映像処理装置の場合には、画質が粗くならないように調整しながら撮影画像の歪みを補正するので、特許文献１に記載されているデジタルカメラで生じる問題は解決することができる。しかし、特許文献２〜４に記載されている発明は、撮影画像の歪みが生じている場合にはその歪みを補正するように撮影画像の画像データに対して補正処理を行うので、撮影画像の歪みの意図的に残した状態の画像データを得ることができないという問題がある。
【０００７】
本発明は、上記問題点に鑑みてなされたものであり、撮影レンズのディストーションによって撮影画像に生じる歪みを補正するように画像処理を行うモードと、撮影画像に生じる歪みを残した状態で画像処理を行うモードとを選択的に切り替えることができる撮影装置を提供することを目的とする。
【課題を解決するための手段】
【０００８】
上記問題点を解決するにあたり、本発明の撮像装置は、撮影レンズによって結像された被写体画像を撮影する撮影手段と、前記撮影手段が撮影した撮影画像の画像データを記憶する内部メモリと、前記撮影レンズのディストーションによる前記撮影画像の画像データの歪みを補正する補正手段とを備えた撮影装置において、前記撮影画像の中心を含み、前記歪みが少なく前記補正を行う必要のない第１領域内の画像データを前記撮影画像の画像データから抜き出して前記補正を行わずに第１画像データを生成する第１モード、前記第１領域を囲むように設定され、前記歪みが前記補正によって除去される第２領域内の画像データ、及び前記第１領域内の画像データを前記撮影画像の画像データから抜き出し、その抜き出した画像データに前記補正を行って第２画像データを生成する第２モード、並びに前記撮影画像の画像データを読み出す第３モードのいずれかに設定するモード設定手段と、前記モード設定手段によって設定されたモードで前記撮影画像の画像データの画像処理を行う画像処理手段とを備え、前記撮影レンズは、焦点距離が可変自在なズームレンズであって、前記モード設定手段は、前記第１モードを設定しているときには前記第１領域の範囲を、前記第２モードを設定しているときには前記第２領域の範囲を前記ズームレンズの焦点距離に応じて調節することを特徴とする。
【０００９】
なお、前記画像処理手段は、前記第１モードが設定されているときには前記画像処理を行った前記第１領域内の画像データにシェーディング補正を行い、前記第２モードが設定されているときには前記画像処理を行った前記第１領域内の画像データ及び第２領域内の画像データにシェーディング補正を行うことが好ましい。
【発明の効果】
【００１１】
本発明によれば、モードを変更することによって、歪みを補正した状態及び歪みを残した状態のどちらの画像データを生成するかを撮影者に選択させることができ、撮影者の選択肢を増やすことが可能になる。また、上述したモードは、モード設定手段を操作することによって簡単に選択することができるので、撮影者は、簡単な方法で自分の好みに応じた撮影画像を得ることが可能になる。さらに、第２モードの場合には、補正手段によって撮影画像の歪みが補正可能な範囲を電子ズームで抜き出すようにしているので、歪みのない範囲のみを電子ズームで抜き出す場合よりも広範囲の画像データを抜き出させることができる。したがって、第２モードに設定して撮影した場合には、歪みを取り除くことが出来るのみならず、画質が粗くなる不具合を抑えることが可能になる。また、画像処理を行った画像データにシェーディング補正を行うので、抜き出した撮影画像の光量ムラをも確実に除去することが可能になる。
【発明を実施するための最良の形態】
【００１２】
本発明の撮影装置をデジタルカメラに適用した例について説明する。図１に示すように、デジタルカメラ１１は、略直方体のカメラボディ１２の前面にレンズバリア１３、撮影レンズ１４、ストロボ装置１５を備えている。また、デジタルカメラ１１は、カメラボディ１２の上面に電源スイッチ１６及びレリーズボタン１７を備えている。
【００１３】
レンズバリア１３は、撮影レンズ１４及びストロボ装置１５を覆う閉じ位置と、撮影レンズ１４及びストロボ装置１５を露呈させる開き位置との間でスライド移動するように設けられている。撮影レンズ１４は、その後方に位置付けられたＣＣＤイメージセンサ（図３参照）の受光面に被写体画像を結像させるように構成されている。また、撮影レンズ１４には、焦点距離が可変なズームレンズが使用されている。ストロボ装置１５は、例えば夜間撮影時のように被写体が暗い場合にレリーズボタン１７が押圧操作されると、瞬間的に発光するように構成されている。
【００１４】
図２に示すように、デジタルカメラ１１は、カメラボディ１２の裏面にファインダー１８、表示パネル１９、第１切替ボタン２０、第２切替ボタン（モード設定手段）２１、ズーム操作スイッチ２２、メニューボタン２３、実行ボタン２４及びキャンセルボタン２５を備えている。表示パネル１９は液晶パネルからなり、被写体画像の撮影を行う撮影モード時にはスルー画像や静止画像が、撮影後の撮影画像を再生する再生モード時には、メモリカード５１に記録された撮影画像が停止表示されるようになっている。
【００１５】
第１切替ボタン２０は、プッシュ式のボタンからなり、撮影モード又は再生モードの切替操作を行うために設けられている。撮影モードと再生モードとの切替は、第１切替ボタン２０が押圧操作される毎に行われる。第２切替ボタン２１は、プッシュ式のボタンからなり、第１切替ボタン２０が押圧操作されてデジタルカメラ１１が撮影モードに切り替えられているときに、後述する第１モード、第２モード及び第３モードの切替操作を行う。第１〜第３モードの切替は、第２切替ボタン２１が押圧操作される毎に、第１モード、第２モード、第３モードの順で順次切り替えられるようになっている。なお、再生モードの場合には、第２切替ボタン２１の押圧操作は無効化される。無効化は、例えば、デジタルカメラ１１が再生モードに切り替えられているときには第２切替ボタン２１の押圧操作ができなくなるようにしてもよいし、第２切替ボタン２１が押圧操作されたときに、第２切替ボタン２１の内部に設けられている図示しないボタンセンサから出力される信号を後述するＣＰＵ６１（図３参照）でキャンセルしてもよい。
【００１６】
ズーム操作スイッチ２２は、上下方向に操作可能なレバースイッチで構成され、これを上方向に操作するとテレ側に、下方向に操作するとワイド側に撮影レンズ１４がズーミングされる。メニューボタン２３は、撮影モード及び再生モードにおける定常画面からメニュー画面へ遷移させるときに使用される。実行ボタン２４は、メニュー画面で選択した内容を確定するとき等に使用される。キャンセルボタン２５は、メニューから選んだ項目の取消しや１つ前の操作状態に戻すとき等に使用される。
【００１７】
次に、デジタルカメラ１１の電気的構成について説明する。図３に示すように、撮影レンズ１４にはフォーカスモータ３１が接続されている。フォーカスモータ３１はステッピングモータからなり、後述するＣＰＵ６１に接続されたモータドライバ３２から送信される駆動パルスにより動作制御される。絞り３３には、アイリスモータ３４が接続されている。アイリスモータ３４はステッピングモータからなり、ＣＰＵ６１に接続されたモータドライバ３５から送信される駆動パルスにより絞り３３を動作させて露出の調整を行う。
【００１８】
撮影レンズ１４の背後には、ＣＣＤイメージセンサ（以下、ＣＣＤという。）３６が配置されている。ＣＣＤ３６には、ＣＰＵ６１によって制御されるタイミングジェネレータ（ＴＧ）３７が接続され、このＴＧ３７から入力されるタイミング信号（クロックパルス）により、電子シャッタのシャッタ速度が決定される。ＣＣＤ３６から出力された撮影信号は、相関二重サンプリング回路（ＣＤＳ）３８に入力され、ＣＣＤ３６の各セルの蓄積電荷量に正確に対応したＲ，Ｇ，Ｂの画像データとして出力される。ＣＤＳ３８から出力された画像データは、増幅器（ＡＭＰ）３９で増幅され、Ａ／Ｄ変換機（Ａ／Ｄ）４０でデジタルの画像データに変換される。
【００１９】
画像入力コントローラ４１は、バス４２を介してＣＰＵ６１に接続され、ＣＰＵ６１の制御命令に応じてＣＣＤ３６，ＣＤＳ３８，ＡＭＰ３９，Ａ／Ｄ４０を制御する。Ａ／Ｄ４０から出力された画像データは、ＲＡＭ４３に一時的に記憶される。
【００２０】
画像信号処理回路（画像処理手段）４４は、ＲＡＭ４３から画像データを読み出して階調変換、ホワイトバランス調整、γ補正処理等の各種画像処理を行い、この画像データを歪み補正処理回路４５に出力する。歪み補正処理回路４５は、後述する歪み補正制御回路６２から出力される歪み補正信号に基づいて、画像信号処理回路４４で各種画像処理が行われた画像データの歪み及びシェーディングの補正を行い、補正した画像データを再度ＲＡＭ４３に記録する。なお、歪み補正処理回路４５での歪み補正は、歪み及びシェーディングのいずれをも補正する場合もあるし、歪み及びシェーディングのいずれか一方のみを補正する場合もある。ＹＣ変換処理回路４６は、歪み補正処理回路４５で歪み及びシェーディングの両方又はいずれか一方の補正を行った画像データをＲＡＭ４３から読み出し、輝度信号Ｙと色差信号Ｃｒ，Ｃｂとに変換する。
【００２１】
ＶＲＡＭ４７は、表示パネル１９にスルー画像を出力するためのメモリであり、画像信号処理回路４４、ＹＣ変換処理回路４６を経た画像データが格納される。ＶＲＡＭ４７に格納された画像データは、ドライバ４８でアナログのコンポジット信号に変換され、表示パネル１９にスルー画像として表示される。
【００２２】
圧縮伸張処理回路４９は、ＹＣ変換処理回路４６でＹＣ変換された画像データに対して、所定の圧縮形式（例えば、ＪＰＥＧ形式）で画像圧縮を行う。圧縮された画像データは、メディアコントローラ５０を経由してメモリカード５１に記録される。
【００２３】
バス４２には、電子シャッタのシャッタ速度及び絞り値から求められる露出量と、ホワイトバランスが撮影に適切か否かを検出するＡＥ／ＡＷＢ検出回路５２が接続されている。ＡＥ／ＡＷＢ検出回路５２は、ＹＣ変換処理回路４６でＹＣ変換された画像データの輝度信号Ｙ及び色差信号Ｃｒ，Ｃｂの積算値を元に露出値及びホワイトバランスの適否を検出し、これらの検出結果をＣＰＵ６１に送信する。ＣＰＵ６１は、ＡＥ／ＡＷＢ検出回路５２から送信された検出結果に基づいて、撮影レンズ１４、絞り３３及びＣＣＤ３６の動作を制御する。
【００２４】
ＡＦ検出回路５３は、Ａ／Ｄ４０でデジタル化された画像データから画像の鮮鋭度を表すフォーカス評価値を算出し、この算出結果をＣＰＵ６１に送信する。フォーカス評価値は、画像の特定のエリアに対して、バンドパスフィルタなどで輪郭抽出処理を施し、これにより抽出した輪郭信号及び特定のエリアの輝度値を積算することで得られる。ここで、フォーカス評価値が大きいほど、その部分が合焦状態にあることを表している。
【００２５】
ＣＰＵ６１は、歪み補正制御回路６２を備えている。また、ＣＰＵ６１には、デジタルカメラ１１を動作させる基本プログラムや後述する歪み補正プログラム６３を格納しているＲＯＭ６４、並びに電源スイッチ１６、レリーズボタン１７、第１切替ボタン２０、第２切替ボタン２１、ズーム操作スイッチ２２、メニューボタン２３、実行ボタン２４、キャンセルボタン２５、及び表示ボタン２６からなる操作部６５が接続されている。
【００２６】
歪み補正制御回路６２は、ＣＰＵ６１が撮影モードに切り替えた時に歪み補正プログラム６３をＲＯＭ６４から読み出す。また、歪み補正制御回路６２は、レリーズボタン１７に設けられた図示しないレリーズボタンセンサから撮影信号が出力された時には、撮影時における撮影レンズ１４の焦点距離と第１〜第３モードの中で選択されているモードを判定し、撮影画像の中心から画像データを抜き出す範囲、及び歪み補正の有無並びにシェーディング補正を行う程度を歪み補正プログラム６３から読み出す。そして、これらの情報を歪み補正信号として歪み補正処理回路４５に出力する。
【００２７】
歪み補正プログラム６３は、表１に示すように、撮影画像から画像データを抜き出す範囲、及び抜き出した画像データに対してシェーディング補正を行う程度を、撮影レンズ１４の焦点距離に対応させてモード毎に設定している。例えば、歪み補正制御回路６２が第１モードに設定され、撮影時における撮影レンズ１４の焦点距離が５０ｍｍであった場合には、歪み補正制御回路６２は、撮影された撮影画像の中心から５０％の範囲の画像データを抜き出し、その抜き出した画像データに中程度のシェーディング補正を行うように歪み補正処理回路４５に歪み補正信号を出力する。同様に、歪み補正制御回路６２が第２モードに設定され、撮影時における撮影レンズ１４の焦点距離が３０ｍｍであった場合には、歪み補正制御回路６２は、撮影された撮影画像の中心から９０％の範囲の画像データを抜き出し、その抜き出した画像データに小程度のシェーディング補正を行うように歪み補正処理回路４５に歪み補正信号を出力する。また、歪み補正制御回路６２が第３モードに設定されている場合には、歪み補正制御回路６２は、撮影された撮影画像の画像データをそのまま読み出し、歪み補正処理回路４５によるシェーディング補正を行わない。
【００２８】
【表１】
0004680022.tif 000002
【００２９】
第１〜第３モード時における画像データを抜き出す範囲の関係を図４に基づいて説明する。なお、図４での説明においては、第１〜第３のいずれのモード下においても、撮影レンズ１４の焦点距離が５０ｍｍだったものとして説明する。図４において、外枠７１は、画像信号処理回路４４で各種処理が行われた画像データによって生成される撮影画像の領域を表している。歪み補正制御回路６２が第１モードに設定されている場合には、この撮影画像に対して第１領域７２に属する画像データが歪み補正処理回路４５によって抜き出される。同様に、歪み補正制御回路６２が第２モードに設定されている場合には、この撮影画像に対して第１領域７２を囲むように形成されている第２領域７３に属する画像データと、第１領域７２に属する画像データとが歪み補正処理回路４５によって抜き出される。なお、歪み補正制御回路６２が第３モードを選択している場合には、撮影画像の画像データをそのまま使用するため、外枠７１の一部の領域を抜き出すような処理は行わない。また、この例では、第１領域７２及び第２領域７３は撮影画像の領域よりも小さくなるように設定されているが、撮影画像全体に歪みがない場合には第１領域７２と外枠７１とが同一になってもよい。また、撮影画像に歪みが生じているものの、その歪みを補正することによって撮影画像全体の歪みが除去できるような場合には、第２領域７３と外枠７１とが同一になってもよい。
【００３０】
次に、第１モードが設定されているときのデジタルカメラ１１の撮影後の処理を説明する。図５に示すように、撮影者がレリーズボタン１７を押圧操作すると、デジタルカメラ１１は撮影を行う（ステップＳ１）。ＣＰＵ６１は、ＣＣＤ３６から出力された画像信号をＣＤＳ３８、ＡＭＰ３９及びＡ／Ｄ４０の順に入力させてデジタルの画像データに変換し、画像信号処理回路４４で画像データにγ補正等の各種画像処理を行う。
【００３１】
次に、歪み補正制御回路６２は、撮影時における撮影レンズ１４の焦点距離が３０〜４０ｍｍの範囲内だったかを判定する（ステップＳ２）。歪み補正制御回路６２は、撮影時における撮影レンズ１４の焦点距離が３０〜４０ｍｍの範囲内だったと判定した場合には、以下の処理を行う内容の歪み補正信号を歪み補正処理回路４５に出力する。歪み補正信号を受けた歪み補正処理回路４５は、撮影された撮影画像の中心から４０％の領域の画像データを抜き出し（ステップＳ３）、その抜き出した画像データに大程度のシェーディング補正を行い、第１画像データを生成する（ステップＳ４）。ＣＰＵ６１は、歪み補正処理回路４５が生成した第１画像データをメモリカード５１に書き込む（ステップＳ５）。
【００３２】
ステップＳ２において、撮影時の焦点距離が３０〜４０ｍｍの範囲内になかった場合には、歪み補正制御回路６２は、撮影時の焦点距離が４１〜６０ｍｍの範囲内だったかを判定する（ステップＳ６）。歪み補正制御回路６２は、撮影時における撮影レンズ１４の焦点距離が４１〜６０ｍｍの範囲内だったと判定した場合には、以下の処理を行う内容の歪み補正信号を歪み補正処理回路４５に出力する。歪み補正信号を受けた歪み補正処理回路４５は、撮影された撮影画像の中心から５０％の範囲内にある画像データを抜き出し（ステップＳ７）、その抜き出した画像データに中程度のシェーディング補正を行い、第１画像データを生成する（ステップＳ４）。
【００３３】
ステップＳ６において、撮影時の焦点距離が４１〜６０ｍｍの範囲内になかった場合には、歪み補正制御回路６２は、以下の処理を行う内容の歪み補正信号を歪み補正処理回路４５に出力する。歪み補正信号を受けた歪み補正処理回路４５は、撮影された撮影画像の中心から６０％の範囲内にある画像データを抜き出し（ステップＳ８）、その抜き出した画像データに小程度のシェーディング補正を行い、第１画像データを生成する（ステップＳ４）。
【００３４】
次に、第２モードが設定されているときのデジタルカメラ１１の撮影後の処理を説明する。図６に示すように、撮影者がレリーズボタン１７を押圧操作すると、デジタルカメラ１１は撮影を行う（ステップＳ１１）。ＣＰＵ６１は、ＣＣＤ３６から出力された画像信号をＣＤＳ３８、ＡＭＰ３９及びＡ／Ｄ４０の順に入力させてデジタルの画像データに変換し、画像信号処理回路４４で画像データにγ補正等の各種画像処理を行う。
【００３５】
次に、歪み補正制御回路６２は、撮影時における撮影レンズ１４の焦点距離が３０〜４０ｍｍの範囲内だったかを判定する（ステップＳ１２）。歪み補正制御回路６２は、撮影時における撮影レンズ１４の焦点距離が３０〜４０ｍｍの範囲内だったと判定した場合には、以下の処理を行う内容の歪み補正信号を歪み補正処理回路４５に出力する。歪み補正信号を受けた歪み補正処理回路４５は、撮影された撮影画像の中心から９０％の領域の画像データを抜き出す（ステップＳ１３）。歪み補正処理回路４５は、その抜き出した画像データの歪みを補正するとともに（ステップＳ１４）、歪みを補正した画像データに小程度のシェーディング補正を行って第２画像データを生成する（ステップＳ１５）。ＣＰＵ６１は、歪み補正処理回路４５が生成した第２画像データをメモリカード５１に書き込む（ステップＳ１６）。
【００３６】
ステップＳ１２において、撮影時の焦点距離が３０〜４０ｍｍの範囲内になかった場合には、歪み補正制御回路６２は、撮影時の焦点距離が４１〜６０ｍｍの範囲内だったかを判定する（ステップＳ１７）。歪み補正制御回路６２は、撮影時における撮影レンズ１４の焦点距離が４１〜６０ｍｍの範囲内だったと判定した場合には、以下の処理を行う内容の歪み補正信号を歪み補正処理回路４５に出力する。歪み補正信号を受けた歪み補正処理回路４５は、撮影された撮影画像の中心から９５％の領域にある画像データを抜き出す（ステップＳ１８）。歪み補正処理回路４５は、その抜き出した画像データの歪みを補正するとともに（ステップＳ１４）、歪みを補正した画像データに微小程度のシェーディング補正を行って第２画像データを生成する（ステップＳ１５）。
【００３７】
ステップＳ１７において、撮影時の焦点距離が４１〜６０ｍｍの範囲内になかった場合には、歪み補正制御回路６２は、以下の処理を行う内容の歪み補正信号を歪み補正処理回路４５に出力する。歪み補正信号を受けた歪み補正処理回路４５は、撮影された撮影画像の全領域の画像データをそのまま読み出して（ステップＳ１９）、読み出した画像データの歪みを補正するとともに（ステップＳ１４）、歪みを補正した画像データに微小程度のシェーディング補正を行って第２画像データを生成する（ステップＳ１５）。
【００３８】
次に、第３モードが設定されているときのデジタルカメラ１１の撮影後の処理を説明する。図７に示すように、撮影者がレリーズボタン１７を押圧操作すると、デジタルカメラ１１は撮影を行う（ステップＳ２１）。ＣＰＵ６１は、ＣＣＤ３６から出力された画像信号をＣＤＳ３８、ＡＭＰ３９及びＡ／Ｄ４０の順に入力させてデジタルの画像データに変換し、画像信号処理回路４４で画像データにγ補正等の各種画像処理を行う。ＣＰＵ６１は、撮影画像の画像データをそのままＲＡＭ４３から読み出して（ステップＳ２２）、歪み補正処理回路４５による歪み補正やシェーディングを経ずに画像データをメモリカード５１に書き込む（ステップＳ２３）。
【００３９】
以上のように、本発明の撮影装置によれば、撮影画像から抜き出される範囲及び歪み補正を実行するか否か、或いは歪み補正を行う程度をモード毎に設定しているので、撮影者の選択肢を増やすことができる。このように撮影者の選択肢を増やすことによって、例えば、高画質で、かつ歪みのない画像が欲しい場合や、歪みが生じた状態の画像を意図的に撮影する場合など、撮影者のニーズに対応できる撮影装置を提供することが可能になる。
【００４０】
また、本発明の撮影装置によれば、撮影画像の画像データに生じる歪みやシェーディングを補正するので、撮影者は、より高画質で歪みのない撮影画像を得ることができる。また、歪み補正をしても歪みが除去できない場合や、シェーディング補正をしても撮影画像に明暗差が生じるような場合には、前述した第２モードを使用することによって、画像の歪み及び明暗差が生じている部分を切り取るように画像データを抜き出すことができる。したがって、歪み補正を行っても画像が歪んでいたり、明暗差が生じているような画像が生成される不具合を解消することができる。さらに、上述した画像データを抜き出す範囲は、ズームレンズの焦点距離に応じて可変するようにしているので、焦点距離を変更することによってシェーディング補正されていないところがあったり、抜き出す範囲が多すぎるような不具合も解消することが可能になる。
【００４１】
なお、本実施形態の撮影装置では、画像信号処理回路でγ補正等の各種画像処理を行った後に歪み補正処理回路で歪み補正を行うようにしているが、歪み補正をするタイミングはこれに限定されるものではない。例えば、画像信号処理回路で各種画像処理を行う前に歪み補正をしてもよいし、画像信号処理回路に歪み補正を行う機能を持たせて、各種画像処理と一緒に歪み補正を行うようにしてもよい。
【００４２】
また、本実施形態の撮影装置では、撮影レンズの焦点距離に応じて表１に示す範囲の画像データを画像信号処理回路で各種画像処理を行った画像データから抜き取るようにしているが、その範囲は表１に示すものに限定されるものでないことは勿論である。また、本実施形態の撮影装置では、歪み補正とシェーディング補正のプログラムを一つにまとめて、歪み補正制御回路でこれらの補正を制御するようにしているが、例えば、歪み補正用のプログラムとシェーディング補正用のプログラムとを別個にしてＲＯＭに格納しておいてもよい。また、これらのプログラムを実行する回路も、本実施形態の撮影装置のように一つの回路でこれらのプログラムを実行するようにしても良いし、歪み補正用のプログラムを実行する回路と、シェーディング補正用のプログラムを実行する回路とを別個に設けてもよい。
【００４３】
また、本実施形態の撮影装置では、レリーズボタンが押圧操作されて撮影が行われた後の撮影画像についてのみ歪み補正を行うようにしているが、例えば、一定の周期でスルー画像を撮影しているときにも歪み補正を順次行ってもよい。このときには、歪み補正を行った撮影画像を表示パネルに順次表示させることによって、どの程度歪みが補正されるか等を撮影者に知らせることができるので、撮影前の確認作業を的確に行えるようになる。
【図面の簡単な説明】
【００４４】
【図１】本発明の撮影装置を備えたデジタルカメラの外観を表した外観斜視図である。
【図２】デジタルカメラの背面側の外観を表した外観斜視図である。
【図３】デジタルカメラの電気的構成を表した電気ブロック図である。
【図４】ＣＣＤが撮影した撮影画像に対する第１領域及び第２領域の範囲を説明する説明図である。
【図５】第１モード下におけるデジタルカメラの撮影後の処理の流れを表したフローチャートである。
【図６】第２モード下におけるデジタルカメラの撮影後の処理の流れを表したフローチャートである。
【図７】第３モード下におけるデジタルカメラの撮影後の処理の流れを表したフローチャートである。
【符号の説明】
【００４５】
１１  デジタルカメラ
１４  撮影レンズ
１７  レリーズボタン
２０  第１切替ボタン
２１  第２切替ボタン（モード設定手段）
２２  ズーム操作スイッチ
３２，３５  モータドライバ
３３  絞り
３６  ＣＣＤ（撮影手段）
３７  タイミングジェネレータ（ＴＧ）
３８  相関二重サンプリング回路（ＣＤＳ）
３９  増幅器（ＡＭＰ）
４０  Ａ／Ｄ変換機（Ａ／Ｄ）
４３  ＲＡＭ（内部メモリ）
４４  画像信号処理回路（画像処理手段）
４５  歪み補正処理回路（補正手段、画像処理手段）
６１  ＣＰＵ
６２  歪み補正制御回路（補正手段、モード設定手段）
６３  ＲＯＭ
６４  歪み補正プログラム
７１  外枠
７２  第１領域
７３  第２領域
【図１】
0004680022.tif 000003
【図２】
0004680022.tif 000004
【図３】
0004680022.tif 000005
【図４】
0004680022.tif 000006
【図５】
0004680022.tif 000007
【図６】
0004680022.tif 000008
【図７】
0004680022.tif 000009